(57)【要約】【課題】回転リールを照明する光源をもって、第１フロントパネルと区画された第２フロントパネルの裏面をも照明することができるようにする。【解決手段】前扉３は、回転リール５の前方に配置され、識別情報を透視可能な第１フロントパネル６と、第１フロントパネル６に隣接する第２フロントパネル７と、第１フロントパネル６と第２フロントパネル７とを区画し、前扉３の剛性向上に寄与するフランジ１２を有する。フランジ１２は、透光性材で形成される。回転リール５を照明する光源１１の光は、フランジ１２を通過して第２フロントパネル７の裏面側を照明する。  【選択図】  図２
2008228747.tif 000002
【特許請求の範囲】
【請求項１】
外周面に複数の識別情報が付記された回転リールを収容した筐体と、前記筐体の前面に設けられる前扉と、前記前扉の後側に設けられ、前記回転リールの外周面を照明可能な光源とを備え、前記前扉に、前記回転リールの前方に配置され、前記識別情報を透視可能な第１フロントパネルと、前記第１フロントパネルに隣接する第２フロントパネルと、前記第１フロントパネルと前記第２フロントパネルとを区画し、前記前扉の剛性向上に寄与するフランジを設けた遊技機において、
前記フランジを透光性材で形成し、前記光源の光を前記フランジを通過させて前記第２フロントパネルの裏面側を照明可能としたことを特徴とする遊技機。
【請求項２】
前記フランジの前方にあって、前記前扉の表面に露出する部分に、前記光源の光の漏光を遮蔽する不透過部を設けたことを特徴とする請求項１記載の遊技機。
【請求項３】
前記フランジを、着色透光性材で形成したことを特徴とする請求項１又は２記載の遊技機。
【発明の詳細な説明】
【技術分野】
【０００１】
本発明は、回転リールの外周面を照明可能な光源を備えた遊技機に関する。
【背景技術】
【０００２】
遊技機としてのスロットマシンにおいては、外周面に複数の識別情報が付記された回転リールを収容した筐体と、この筐体の前面に設けられる前扉とを備えている。前扉には、回転リールの識別情報を前方から透視可能な第１フロントパネルが設けられ、また、第１フロントパネルの上方には、各種遊技情報や絵柄等が描かれた透光性の第２フロントパネルが設けられている。さらに、前扉の後面には、遊技時に回転リールの外周面を照明する横長の冷陰極管等で構成される光源が設けられている（例えば、特許文献１参照）。
【特許文献１】特開２００４−１６７０１８号公報
【発明の開示】
【発明が解決しようとする課題】
【０００３】
上述のような遊技機においては、前扉の裏面側における第１フロントパネルと第２フロントパネルとの境界部分に、後方へ所定量突出し、前扉の剛性を保つためのフランジを形成して、第１フロントパネルと第２フロントパネルとが区画されている。そのため、回転リール側を照明する光源をもって、第２フロントパネルの裏面側をも照明しようとした場合、フランジが光源の光を遮り、第２フロントパネル側の裏面を照明することはできない。従って、この場合には、第２フロントパネルの裏面側を照明するための光源を別途設ける必要があり、部品数の増加、コスト高を招くこととなる。
【０００４】
本発明は、従来の問題に鑑みてなされたもので、回転リールを照明する光源をもって、第１フロントパネルと区画された第２フロントパネルの裏面をも照明することができるようにした遊技機を提供することを目的とする。
【課題を解決するための手段】
【０００５】
本発明によると、上記課題は、次のようにして解決される。
（１）外周面に複数の識別情報が付記された回転リールを収容した筐体と、前記筐体の前面に設けられる前扉と、前記前扉の後側に設けられ、前記回転リールの外周面を照明可能な光源とを備え、前記前扉には、前記回転リールの前方に配置され、前記識別情報を透視可能な第１フロントパネルと、前記第１フロントパネルに隣接する第２フロントパネルと、前記第１フロントパネルと前記第２フロントパネルとを区画し、前記前扉の剛性向上に寄与するフランジを設けた遊技機において、前記フランジを透光性材で形成し、前記光源の光を前記フランジを通過させて前記第２フロントパネルの裏面側を照明可能とする。
【０００６】
（２）上記(１)項において、前記フランジの前方にあって、前記前扉の表面に露出する部分に、前記光源の光の漏光を遮蔽する不透過部を設ける。
【０００７】
（３）上記(１)または(２)項において、前記フランジを、着色透光性材で形成する。
【発明の効果】
【０００８】
本発明によれば、次のような効果が奏せられる。
（ａ）請求項１記載の発明によると、前扉の剛性向上に寄与するフランジが、第１フロントパネルと第２フロントパネルとを区画するように、前扉の裏面側に形成される遊技機であっても、第１フロントパネルの後方に配置される回転リールを照明するための光源により、第２フロントパネルの裏面側をも同時に照明することができる。
【０００９】
（ｂ）請求項２記載の発明によると、照明する必要性がない部分への漏光を遮蔽することができる。
【００１０】
（ｃ）請求項３記載の発明によると、回転リールを照明する光の色と第２フロントパネルの後側に照明する光の色とを異ならせることができ、変化に富んだ照明を行うことができる。
【発明を実施するための最良の形態】
【００１１】
図１は、本発明を適用した遊技機の斜視図、図２〜図５は、本発明における各実施例の要部を示す遊技機の概略縦断面図である。なお、以下の説明においては、図１の左斜め下方、図２〜図５の左方を「前方」とし、図１の右斜め上方、図２〜図５の右方を「後方」とする。
【００１２】
遊技機（スロットマシン）１は、各種遊技機器を収容した筐体２と、筐体２の前面に開閉可能に設けられた合成樹脂製の前扉３を備え、遊技媒体をなす円板状のメダル（コインも含む）を、前扉３の右側に設けたメダル投入部４に投入することにより、後述のような所定のゲームが行われるものである。
【００１３】
筺体２内には、外周面に複数種類の図柄等で構成される識別情報が描かれた左、中、右３個の回転リール５、メダルを貯留及び払出可能なホッパーユニット（図示略）、遊技全体を統括的に制御する主制御基板（図示略）、入賞形態に応じてメダルを払い出すホッパーユニット等の遊技機器が収容されている。
【００１４】
前扉３における前面のほぼ中央には、各回転リール５の識別情報を３こまずつ視認可能な透視窓６１を有する透明アクリル樹脂製の第１フロントパネル６が嵌め込まれ、また、同じく第１フロントパネル６の上側には、遊技情報や絵柄等が描写された透明アクリル樹脂製の第２フロントパネル７が嵌め込まれている。
【００１５】
さらに、前扉３における第１フロントパネル６の下方には、メダルを遊技に投資するときに操作されるベットボタン８、各回転リール５を回転させるときに操作されるスタートレバー９、及び各回転リール５の回転を停止させるときに操作されるストップボタン１０等が設けられている。
【００１６】
前扉３における裏面側には、各回転リール５の外周面を斜め前上方から照明可能な横長の冷陰極管等で構成される光源１１、メダル投入部４に投入されたメダルの真偽を判別可能なメダルセレクター（図示略）等が設けられている。さらに、前扉３における第２フロントパネル７の後方には、必要に応じて、遊技の演出情報窓を表示可能な液晶画面等で構成される表示装置（図示略）が設けられる。
【００１７】
前扉３における第１フロントパネル６の上縁と第２フロントパネル７の下縁との境界部分には、前扉３の剛性を高めるため、後方へ所定量突出するフランジ１２（図５においては１３）が設けられている。このフランジ１２、１３は、第１フロントパネル６と第２フロントパネル７とを区画するように、光源１１の上面に沿って左右方向へ延設されている。
【００１８】
遊技機１の遊技は、遊技者がメダルをメダル投入部４に投入した後、ベットボタン８によりメダルの賭数を設定した後、スタートスイッチレバー９を操作して、全ての回転リール５を回転させることによって開始される。このとき、回転リール５における識別情報を含む外周面は光源１１により照明されることにより、遊技者は識別情報を明視することができる。
【００１９】
回転リール５が回転して所定時間が経過した後、３個のストップスイッチボタン１０を順次操作して、各回転リール５の回転を停止させ、停止した３個の回転リール５の図柄の組み合わせにより、入賞の有無、及び賞の大小に応じたメダルの配当枚数が確定され、入賞した場合には、予め定めた入賞枚数のメダルがホッパーユニットから前扉３の下部に設けたメダル受皿３１に払い出される。
【００２０】
（実施例１）
図２に示すように、実施例１における第２フロントパネル７は、その表面に遊技情報及び絵柄が描写されて、一部が透光性または全体が半透明に形成され、前扉３の上部に嵌め込み固定された前扉３の一部を形成する額縁状の飾り枠１４内に嵌め込まれる。飾り枠１４は、下部に補強用のフランジ１２を形成するとともに、母材が光透過性の透明アクリル樹脂板等により形成される。また、前扉３の表面に露出する飾り枠１４の下部表面（フランジ１２の前側に位置する部分）には、不透光部１５が設けられる。不透光部１５は、例えば、塗装、隠蔽幕と樹脂との同時成型（インサート成型又はインモールド成型）により形成される。なお、不透光部１５は、前扉３の表面に露出する飾り枠１４の表面全周に施しても良い。
【００２１】
上述により、回転リール５の表面を照明する光源１１の光は、透光性のフランジ１２を通過して、第２フロントパネル７の後方空間に漏光して、第２フロントパネル７の裏面をも照明することができる。また、飾り枠１４の表面には不透光部１５が形成されているため、不必要な箇所への漏光を遮蔽して、必要な箇所のみを照明することができる。
【００２２】
（実施例２）
図３に示すように、実施例２における飾り枠１４は、透光性樹脂と不透光性樹脂により二重成型される。フランジ１２は、透光性樹脂により成型され、また、前扉３の表面に露出する飾り枠１４の表面部分は、不透光性樹脂により成型されて、不透光部１６を形成する。他の構成については、前記実施例１と同一であるので、同一部分には、同一符号を付して説明は省略する。
【００２３】
この実施例２においても、回転リール５の表面を照明する光源１１の光を、光透過性のフランジ１２を通過させて、第２フロントパネル７の裏面を照明することができ、また、不透光部１６により不必要な箇所への漏光を防ぐことができる。
【００２４】
（実施例３）
図４に示すように、実施例３における第２フロントパネル７は、全体が透明又は一部が不透明（半透明も含む）に形成される。そして、第２フロントパネル７の後方には、第２フロントパネル７を透して見ることができる役物１７、例えば、遊技状況に応じて動く演出体等が設けられる。他の構成については、前記実施例１と同一であるので、同一部分には、同一符号を付して説明は省略する。
【００２５】
この実施例３においては、回転リール５の表面を照明する光源１１の光を、光透過性のフランジ１２を通過させて、第２フロントパネル７の裏面及び役物１７の表面を同時に照明することができる。また、フランジ１２を透光性の着色樹脂により成型することによって、光源１１を白色光とした場合であっても、役物１７を着色光により照明することができ、変化に富んだ照明を行うことができる。
【００２６】
（実施例４）
図５に示すように、実施例４における第２フロントパネル７は、前扉３の上部に嵌め込み固定された前扉３の一部を形成する額縁状の飾り枠１８の前面に一体成型される。飾り枠１８全体は、光透過性の透明アクリル樹脂板等により形成される。飾り枠１８の下部には、補強用のフランジ１３が一体成型される。また、前扉３の表面に露出する飾り枠１８の表面における第２フロントパネル７以外の箇所には、実施例１と同様な不透光部１５が設けられる。他の構成については、前記実施例１と同一であるので、同一部分には、同一符号を付して説明は省略する。
【００２７】
この実施例４においても、回転リール５の表面を照明する光源１１の光を、光透過性のフランジ１２を通過させて、第２フロントパネル７の裏面及び第２フロントパネル７の後方に配置した役物１７も同時に照明することができ、また、不透光部１５により不必要な箇所への漏光を遮蔽することができる。
【図面の簡単な説明】
【００２８】
【図１】本発明を適用した遊技機の斜視図である。
【図２】実施例１の要部を示す遊技機の概略縦断面図である。
【図３】実施例２の要部を示す遊技機の概略縦断面図である。
【図４】実施例３の要部を示す遊技機の概略縦断面図である。
【図５】実施例４の要部を示す遊技機の概略縦断面図である。
【符号の説明】
【００２９】
１  遊技機（スロットマシン）
２  筐体
３  前扉
４  メダル投入部
５  回転リール
６  第１フロントパネル
７  第２フロントパネル
８  ベットボタン
９  スタートレバー
１０  ストップボタン
１１  光源
１２、１３  フランジ
１４、１８  飾り枠
１５、１６  不透光部
１７  役物
３１  メダル受皿
６１  透視窓
【図１】
2008228747.tif 000003
【図２】
2008228747.tif 000004
【図３】
2008228747.tif 000005
【図４】
2008228747.tif 000006
【図５】
2008228747.tif 000007